(57)【特許請求の範囲】
【請求項１】
背凭れを具備する椅子において、前記背凭れを変形可能に構成するとともに、該背凭れの少なくとも上端部若しくは下端部の何れか一方を一定方向へスライド可能に支持する背凭れ支持部と、そのスライド位置を選択して固定するための操作部とを設け、この操作部の操作位置に応じて、背凭れを変形させ得るようにし、一定方向へのスライド動作が、背凭れの巾方向と直交する面内における円弧に沿った動作であることを特徴とする椅子。
【請求項２】
背凭れは、操作部の操作位置に応じて、背凭れのＳ字状をなす湾曲形状を滑らかに変形させるものである請求項１記載の椅子。
【請求項３】
背凭れを具備する椅子において、前記背凭れを変形可能に構成するとともに、該背凭れの少なくとも上端部若しくは下端部の何れか一方を一定方向へスライド可能に支持する背凭れ支持部と、そのスライド位置を選択して固定するための操作部とを設け、この操作部の操作位置に応じて、背凭れを変形させ得るようにし、背凭れは、操作部の操作位置に応じて、背凭れのＳ字状をなす湾曲形状を滑らかに変形させるものであることを特徴とする椅子。
【請求項４】
一定方向へのスライド動作が、背凭れの巾方向と直交する方向の直線に沿った動作である請求項３記載の椅子。
【請求項５】
一定方向へのスライド動作が、背凭れの巾方向と直交する面内における円弧に沿った動作である請求項３記載の椅子。
【請求項６】
背凭れの上端部を水平軸回りに回転可能に支持した上で、背凭れの下端部を背凭れ下支持部によってスライド可能に支持し、かつ下操作部によってそのスライド位置を選択して固定し得るようにしている請求項１〜５の何れかに記載の椅子。
【請求項７】
背凭れの下端部を背凭れ下支持部によってスライド可能に支持し、かつ下操作部によってそのスライド位置を選択して固定し得るようにするとともに、背凭れの上端部を背凭れ上支持部によってスライド可能に支持し、かつ上操作部によってそのスライド位置を選択して固定し得るようにしている請求項１〜５の何れかに記載の椅子。
【請求項８】
背凭れの上端部を固定した上で、背凭れの下端部を背凭れ下支持部によってスライド可能に支持し、かつ下操作部によってそのスライド位置を選択して固定し得るようにしている請求項１〜５の何れかに記載の椅子。
【請求項９】
背凭れの下端部を水平軸回りに回転可能に支持した上で、背凭れの上端部を背凭れ上支持部によってスライド可能に支持し、かつ上操作部によってそのスライド位置を選択して固定し得るようにしている請求項１〜５の何れかに記載の椅子。
【請求項１０】
背凭れの下端部を固定した上で、背凭れの上端部を背凭れ上支持部によってスライド可能に支持し、かつ上操作部によってそのスライド位置を選択して固定し得るようにしている請求項１〜５の何れかに記載の椅子。
【請求項１１】
背凭れは、操作部の操作位置に応じて、ランバーサポート部の位置を前後方向に突没させながら変形するものである請求項１〜１０の何れかに記載の椅子。
【請求項１２】
背凭れは、操作部の操作位置に応じて、ランバーサポート部の位置を前後かつ上下方向に突没させながら変形するものである請求項１〜１０の何れかに記載の椅子。
【請求項１３】
背凭れを、背と接触する位置にあって変形可能な背凭れ本体と、背フレームに取り付けられて前記背凭れ本体の背面側の一部を支持する背凭れ補強部とから構成し、背凭れ本体のうち、背凭れ補強部に支持されていない部位を変形させるようにしている請求項１〜１２の何れかに記載の椅子。
【発明の詳細な説明】
【０００１】
【発明の属する技術分野】
本発明は、簡易な構成を通じてその座り心地を有効に向上させた椅子に関するものである。
【０００２】
【従来の技術】
椅子において、その座り心地の良否は、身体に与える影響、執務効率等に与える影響の極めて大きいファクターであり、椅子の基本機能として最も重視されるところである。このため、従来より、背凭れ傾動、背座ロッキング、ランバーサポート等々、種々の機構を通じて、座り心地を向上させるための追求が多角的になされ、椅子の高機能化が進んでいる。
【０００３】
【発明が解決しようとする課題】
ところで、このうち、ランバーサポート機能に着目すると、従来のランバーサポートのなかには、サポート位置を調節できるようにしたものがある。人の腰の位置や座り方などは、性別や年齢、体格などの個体差によって異なるため、このようにランバーサポート位置を調整できることは、画一的に生産される椅子を様々な利用者に適合させる上で極めて有用なものとなる。
【０００４】
しかしながら、機能的には優れていても、従来考えられている機構は、例えば背凭れ内部にランバーサポート部材を可動状態で埋め込み、これを外部から操作可能として、内部のランバーサポート部材で背凭れを押し、背凭れ面を突没させるといった複雑なものである。
【０００５】
このため、背凭れが厚肉で、機構部品の増加を許容できるような椅子であるならばまだしも、簡易形の椅子においては到底採用し難いものとなっている。
【０００６】
【課題を解決するための手段】
そこで、本発明は、主として簡易形の椅子にこのような機能を持ち込むために、椅子の背凭れを変形可能に構成するとともに、該背凭れの少なくとも上端部若しくは下端部の何れか一方を一定方向へスライド可能に支持する背凭れ支持部と、そのスライド位置を選択して固定するための操作部とを設け、この操作部の操作位置に応じて、背凭れを変形させ得るようにしたことを前提としたものである。
【０００７】
背凭れの変形はそれ自体の撓み変形等を利用すればよい。その場合に、撓みを惹起させる部位、すなわち、背凭れの全体における位置・大きさ・範囲は、変形させる目的・用途や、背凭れの素材の性質等に応じて種々に設定することができる。
【０００８】
このような前提のものであれば、背凭れに弾性等を付与し、背凭れ支持部に背凭れの一部をスライド構造の下に支持させるだけであるので、簡素な構成とすることができる。特に、背凭れに弾性を付与すると、背凭れの接触感や使用感が同時に高められるので、背凭れの接触感や使用感を確保するために別途新たな構造を持ち込む必要がない。したがって、本発明によれば、背凭れが背凭れとして成立するための構成と背凭れが変形するために必要な構造とを効率良く両立させて実現することができる。
そして本発明は、上記前提に加え、一定方向へのスライド動作が、背凭れの巾方向と直交する面内における円弧に沿った動作であることを特徴とするものである。また本発明は、上記前提に加え、背凭れは、操作部の操作位置に応じて、背凭れのＳ字状をなす湾曲形状を滑らかに変形させるものであることを特徴とするものである。
【０００９】
具体的な実施の態様としては、以下のようなものを挙げることができる。
１）背凭れの上端部を水平軸回りに回転可能に支持した上で、背凭れの下端部を背凭れ下支持部によってスライド可能に支持し、かつ下操作部によってそのスライド位置を選択して固定し得るようにしているもの。
【００１０】
２）背凭れの下端部を背凭れ下支持部によってスライド可能に支持し、かつ下操作部によってそのスライド位置を選択して固定し得るようにするとともに、背凭れの上端部を背凭れ上支持部によってスライド可能に支持し、かつ上操作部によってそのスライド位置を選択して固定し得るようにしているもの。
【００１１】
３）背凭れの上端部を固定した上で、背凭れの下端部を背凭れ下支持部によってスライド可能に支持し、かつ下操作部によってそのスライド位置を選択して固定し得るようにしているもの。この固定には、強固に固定する態様のほか、ある程度がたつきを許容した状態で固定する態様のもの（例えばピボット止めのようなもの）も含まれる。
【００１２】
４）背凭れの下端部を水平軸回りに回転可能に支持した上で、背凭れの上端部を背凭れ上支持部によってスライド可能に支持し、かつ上操作部によってそのスライド位置を選択して固定し得るようにしているもの。
【００１３】
５）背凭れの下端部を固定した上で、背凭れの上端部を背凭れ上支持部によってスライド可能に支持し、かつ上操作部によってそのスライド位置を選択して固定し得るようにしているもの。この固定の意味は、上記３におけると同様である。
【００１４】
本発明が、背凭れは、操作部の操作位置に応じて、背凭れのＳ字状をなす湾曲形状を滑らかに変形させるものである場合には、以上において、一定方向へのスライド動作は、直線に沿った動作であっても構わない。
【００１５】
背凭れの好適な変形の態様としては、操作部の操作位置に応じて、ランバーサポート部の位置を前後方向に突没させるもの、ランバーサポート部の位置を前後かつ上下方向に突没させるものが挙げられる。
【００１６】
勿論本発明は、一定方向へのスライド動作が、背凭れの巾方向と直交する面内における円弧に沿った動作であるものであり、且つ、背凭れの変形の態様は、操作部の操作位置に応じて、背凭れのＳ字状をなす湾曲形状（ランバーサポート部の形状変化を伴うものを含む）を滑らかに変形させるものであってもよい。
【００１７】
また、以上の構成を好適に実現するための背凭れの構造としては、当該背凭れを、背と接触する位置にあって変形可能な背凭れ本体と、背フレームに取り付けられて前記背凭れ本体の背面側の一部を支持する背凭れ補強部とから構成し、背凭れ本体のうち、背凭れ補強部に支持されていない部位を変形させるようにしているものが好ましい。
【００１８】
【発明の実施の形態】
以下、本発明の一実施形態を、図面を参照して説明する。
【００１９】
この実施形態の椅子Ｃは、図１〜図３に示すように、構造体としての基盤をなすその椅子本体１が、脚２と、この脚２の上端側に取り付けた支持基部３と、前部を前記支持基部３に支持させた座受４と、基端を前記支持基部３に取り付け中間部に前記座受４の後部を支持させた背フレーム５とから構成されるもので、この椅子本体１の座受４及び背フレーム５に各々座６及び背凭れ７を取り付けるようにしている。
【００２０】
先ず、椅子本体１について説明する。
【００２１】
脚２は、５本の脚羽根２１の中央から支柱２２を立ち上げた構造をなし、支柱２２は昇降可能であって内部に図示しないガススプリング機構を組み込んでいる。
【００２２】
支持基部３は、前記支柱２２の上端部に回転可能に取り付けたもので、図４に示すように、前方に水平に延びその一部に支柱２２を上下方向に貫通させてなる底壁３１と、この底壁３１の前端から斜め前方に傾斜して立ち上がる前壁３２と、これら底壁３１及び前壁３２の周囲より起立して前記底壁３１及び前壁３２とともに内側に上方に開口する機構部収納空間を形成する側壁３３とよりなる概略舟形をなす。この支持基部３は、その側壁３３の前部に、それぞれ背向する方向に軸心を一致させて前座受取付軸３４を一体突設或いは外付けできるようになっている。またこの支持基部３は、その底壁上方を横断する位置に、左右の側壁３３間に亘って背取付軸３５を貫通させている。
【００２３】
座受４は、その平面図を図５、支持基部３に取り付けた状態の斜視図を図６に示すように、前記支持基部３上に位置し、一定間隔を保って前後に平行に延びる縦フレーム４１と、これら縦フレーム４１の前端近傍部間及び後端近傍部間を連結する位置に横架した横フレーム４２とを具備する概略井桁状をなす。各々の縦フレーム４１の前端近傍部には、前後方向に延びる長孔４１１が対応づけて設けてあり、各々の長孔４１１に前記支持基部３の前座受取付軸３４の端部を同長孔４１１に沿ってスライド移動可能に挿入している。
【００２４】
背フレーム５は、図２、図３、図９等に示すように、概略Ｌ字形に屈曲する一対の背フレーム要素５１と、これらの背フレーム要素５１の上端近傍部間を一定の間隙を保って連結する連結部材５２とを具備するもので、一対の背フレーム要素５１間に、当該背フレーム５１の基端５１ａと屈曲部位５１ｂとの間で図４及び図６に示す後座受取付軸５３を架設することができるようにしている。そして、各々の背フレーム要素５１の基端５１ａを前記支持基部３の背取付軸３５に回転可能に取り付け、背フレーム要素５１間に架設した後座受取付軸５３に座受４の縦フレーム４１の後部を取り付けている。
【００２５】
上記の構成によって、この椅子本体１は、図４に示すように、支持基部３の前座受取付軸３４を座受４の長孔４１１の後端側に位置づけ背フレーム５が起き上がった図中実線で示す状態において椅子Ｃに通常使用姿勢を与え、支持基部３の前座受取付軸３４を座受４の長孔４１１の前端側に位置づけ背フレーム５が後傾した図中想像線に示す状態において座受４の後端を沈み込ませて椅子Ｃに安息姿勢を与え、全体としていわゆるシンクロチルト機構を実現するものである。
【００２６】
そして、この椅子本体１は、前記シンクロチルト機構の一部に反力機構Ｈを組み込んでロッキング装置Ｌを構成するとともに、そのロッキングを所定位置に固定するロッキング固定機構Ｅ及びロッキング硬さを調整する反力調整機構Ａを当該ロッキング装置Ｌの構成要素として付加している。
【００２７】
反力機構Ｈは、図４及び図６に示すように、前記支持基部３の機構収納空間に後傾姿勢（略４５°）で配置され前上方端を固定リテーナＨ１に支持された一対のコイルスプリングＳと、背取付軸３５上にあって背フレーム５の傾動動作に同期して回転する第１回転アームＨ２と、この第１回転アームＨ２の背取付軸心から偏位した位置に軸回りに取り付けた可動リテーナＨ３とを具備し、この可動リテーナＨ３に前記コイルスプリングＳの後下方端を支持させて、背フレーム５の後傾動作に伴い第１回転アームＨ２を介して可動リテーナＨ３がコイルスプリングＳを圧縮する構造になっている。なお、図６において一対のコイルスプリングＳの間にある第１回転アームＨ２などは省略してある。
【００２８】
ロッキング位置固定機構Ｅは、その平面図を図５、座受４に取り付けた状態の斜視図を図６に示すように、中間部よりもやや基端側を座受４に第１鉛直軸Ｘ１回りに回転可能に取り付けた平面視扇形をなす一対のロック板Ｅ１と、背フレーム５のロッキング動作を前記一対のロック板Ｅ１の同期回転動作に変換する動作変換機構Ｅ２と、ロック板Ｅ１同士を選択的に固定する操作部Ｅ３とからなる。ロック板Ｅ１は、第１鉛直軸Ｘ１を通る径方向断面が下向Ｌ字形をなすもので、円周上にあって垂下した部分の集合である円筒面Ｅ１ａには径方向に開口する孔Ｅ１ｂが所定ピッチで円周方向の複数箇所に亘って設けてあり、同期回転動作に伴って、各孔Ｅ１ｂが両第１鉛直軸Ｘ１の軸心を結ぶ仮想直線Ｌ１上に次々と到来して密接に対面するものである。動作変換機構Ｅ２は、一端を前記扇形をなすロック板Ｅ１の基端に第２鉛直軸と水平長孔との係わり合い部Ｘ２を介して接続し、他端を支持基部３の前座受取付軸３４に係わり合わせた剛体たる連結部材Ｅ２１からなるもので、ロッキング動作に伴って座受４が支持基部３に対して後下方へ移動すると、この座受４に搭載されているロック板軸支用の第１鉛直軸Ｘ１が追従するのに対して、ロック板Ｅ１の基端に係わり合う第２鉛直軸Ｘ２は連結部材Ｅ２１を介して支持基部３により一定位置に保持されるため、結果的に座受４がロッキングにより沈み込むと、扇形のロック板Ｅ１の円筒面Ｅ１ａが第１鉛直軸Ｘ１に押されて前記係わり合い部Ｘ２の周りを後方に旋回するようになっている。操作部Ｅ３は、前記仮想直線Ｌ１に軸心を合致させて同軸心方向へ進退可能に配置したロックピンＥ３１と、基端を第３鉛直軸Ｘ３を介して座受４の横フレーム４２に回転可能に取り付けられ先端を水平長孔と鉛直ピンとの係わり合い部Ｘ４を介して前記ロックピンＥ３１に接続した第２回転アームＥ３２と、この第２回転アームＥ３２を前記両ロック板Ｅ１の孔Ｅ１ｂに通過させる方向に押し付けるバネ要素Ｅ４と、この第２回転アームＥ３２を前記バネ要素Ｅ４に抗し引き戻して前記ロックピンＥ３１を両ロック板Ｅ１の孔Ｅ１ｂから抜き取る操作を行うロッキング位置調整操作レバーＥ５とから構成され、ロッキング位置調整操作レバーＥ５は座受４の側方の適宜位置に取り付けてある。前記バネ要素Ｅ４と前記ロッキング位置調整操作レバーＥ５とは、図５に示すワイヤＥ６により接続されている。
【００２９】
このロッキング位置固定機構Eの利点としては、座受４の動きに連動させてロック板Ｅ１の外周をより大きく振らし、この外周においてロック板Ｅ１の孔Ｅ１ｂとロックピンＥ３１との係わり合いによりロック板Ｅ１同士を固定、ひいては座受４の動きを止めて背座をそのロッキング位置に固定するものであるため、ロック板Ｅ１の孔Ｅ１ｂの間隔を比較的大きくとっても背座のロッキング固定を比較的小刻みに行える点、第1鉛直軸Ｘ１からロック板Ｅ１の孔Ｅ１ｂとロックピンＥ３１との係わり合いの部分までのトルクアームが当該第1鉛直軸Ｘ１からロック板Ｅ１と連結部材Ｅ２１との係わり合い部Ｘ２までのトルクアームよりも大きいため、ロックに要する力を軽減することができ、ロックピンＥ３１やロック板Ｅ１に剛性さえ付与すれば固定に必要な機構自体を簡素なものにできる点、一対のロック板Ｅ１を相互に拘束し合うことで背凭れ７のロッキング固定を行うため、連結部材Ｅ２１以外の操作部等の要素部品を全て座受４側に搭載することができ、座６の移動に対して操作部を常に一定の相対位置に配置しておくことができる点、さらには、あるロッキング状態で着座者が椅子から離れ、反力機構Hによって背座が起き上がろうする方向に動こうとする場合、本実施形態の構造によればロックピンＥ３１がロック板Ｅ１の孔Ｅ１ｂからせん断方向の押付力を受けることになるため、これによる摩擦力でロックピンＥ３１が孔Ｅ１ｂから抜けることが阻止され、椅子から立ち上がっても背座が急激に起き上がることが防止される点、そして再び着座することによって、上記せん断方向の力が消失して改めてロック解除の操作が可能となる点などが挙げられる。また、扇形のロック板Ｅ１は水平面内で回転するだけであるため、薄い設計が可能となる点、扇形のロック板Ｅ１の外周部に互いに噛み合う歯を形成すれば、動作のズレをなくすこともできる点なども利点として挙げられる。
【００３０】
反力調整機構Ａは、図４に示すように、前記コイルスプリングＳの固定リテーナＨ１を、実際には軸状のバックアップ部材Ａ１０によって当該固定位置に保持するように構成した上で、このバックアップ部材Ａ１０を一部に備え水平軸Ａ１１回りに回転可能な第３回転アームＡ１と、この第３回転アームＡ１の前記水平軸Ａ１１から偏位した位置においてその偏位方向と略直交する方向からねじ結合させたグリップＡ２１を有するねじ要素Ａ２とにより構成したもので、そのねじ要素Ａ２は支持基部３の前壁３２を貫通して前壁３２の外部に突出し、その突出位置に当該グリップＡ２１を配置している。そして、グリップ操作を通じてねじ要素Ａ２１にねじ送り動作を与えると、第３回転アームＡ１が水平軸Ａ１１回りに回転して、バックアップ部材Ａ１０を介しリテーナＨ１のバックアップ位置を、コイルスプリングＳの圧縮力を増減させる方向に移動させ得るようにしている。なお、第３回転アームＡ１とねじ要素Ａ２とは、操作位置に応じて交差角度が変化するため、ねじ要素Ａ２の先端に押さえ板Ａ２２を取り付け、第３回転アームＡ１には部分円弧状の突起Ａ１２を形成して、この突起Ａ１２を押さえ板Ａ２２により押し付けさせることで交差角度が変化しても対応できるようにしている。
【００３１】
この反力調整機構Aの利点としては、コイルスプリングＳの長手寸法内に組み込むことができるため、コイルスプリングＳの一端側に反力調整機構を導入する場合に比べて、反力機構Hを含め軸方向のコンパクト化を図ることができる点、コイルスプリングＳを後傾姿勢（この実施形態においては略４５°程度の傾斜）で配置しているため、このコイルスプリングＳを収容している支持基部３の前後寸法の短寸化、ひいては座を前後スライドさせるときの座６と支持基部３との干渉を有効に回避して動作代を十分に確保することができる点、このようにしても操作用のグリップＡ２１は操作し易い支持基部３の前壁に配置できる点、第３回転アームＡ１の腕の長さに基づく「てこ」の作用で軽く操作できる点などが挙げられる。
【００３２】
以上の構成からなる椅子本体１に、座６及び背凭れ７を取り付けて、本実施形態の椅子Ｃは完成される。
【００３３】
このようなものにおいて、本実施形態は、背凭れ７を次のように構成して、背フレーム５に取り付けている。
【００３４】
すなわち、この背凭れ７は、図７、図８、及び図９に示すように、当該背凭れ７の外形を形作るロの字形をなす弾性材製の芯材７１ａ及びこの芯材７１ａを袋状に縫製した内部に収容してなる張地７１ｂとからなる背凭れ本体７１と、この背凭れ本体７１の上部の背面に配置された下向きコ字形をなし剛性のある素材で作られてなる背凭れ上部補強部材７２とから構成されたものである。芯材７１ａはその上下方向中間部よりもやや下方位置にあってランバーサポート部７１ｘとして機能する部分が前方に突出するような右側面視「く」の字形に若干屈曲させて成形してある。さらに、背フレーム要素５１に、背凭れ上支持部５１１を形成している。この背凭れ上支持部５１１にはピン挿通孔５１１ａが設けてあり、このピン挿通孔５１１ａを前記背凭れ上部補強部材７２の下端部に設けたピン挿通孔７２ａ１に合致させて水平ピン７２１を挿通し、この水平ピン７２１を介して背凭れ上部補強部材７２を背凭れ上支持部５１１に回転可能に接続している。一方、背凭れ７の下端部は、上方に開口した中空筐型形状の背凭れ下支持部たる背凭れ受け部材５４に支持される。背凭れ受け部材５４は、その左右両端部に内向きに対面するチャネル部５４ｘを上方に一体に突出させており、これらのチャネル部５４ｘの溝に背凭れ７の対応する側縁を上下スライド可能に挿入するとともに、背凭れ７の下降位置において、その下端を前記背凭れ受部材５４の開口部に上方から挿入し得るようにしている。前記背凭れ受部材５４は、その下端側の左右両端部に切り欠き部５４ａが設けられ、この切り欠き部５４ａを前記背フレーム要素５１の屈曲部位５１ｂ近傍に載せ置いて固定してある。さらに、この背凭れ７の上端部をなす背凭れ本体７１の上方及び背凭れ上部補強部材７２には、共通の上張地７２ｂを被せるようにしている。
【００３５】
すなわち、この背凭れ７は、下端部の上下方向へのスライド位置に応じて、背凭れ７を前記背凭れ上支持部５１１の水平軸であるピン５１１ａの回りに回転させながら、ランバーサポート部７１ｘを、前後及び上下方向に向かって突没させ得るものである。
【００３６】
そして、この突没動作は、背フレーム５の一部に組み込んだ下操作部たる背凭れ形状調節機構Ｋによって惹起するようにしている。
【００３７】
この背凭れ形状調節機構Ｋは、図３、図７、及び図８に示すように、一端を前記背凭れ受部材５４の略中央部に設けた水平な固定軸Ｚ１に固定し、他端を前記背凭れ受け部材５４のチャネル部に設けたスリット５４１を貫通させて、その貫通させた他端に操作グリップＫ１１を設けてなる、弾性材たる板ばねにより構成した操作レバーＫ１と、前記操作レバーＫ１に設けた長孔Ｋ２と、背凭れ本体７１の下端部に前記長孔Ｋ２を貫通して設けたピンＫ３と、操作レバーＫ１の位置決めを行うロック機構Ｌとを備えている。操作レバーＫ１を引き上げると、前記長孔Ｋ２に前記ピンＫ３が突き当たり、このピンＫ３から背凭れ本体７１の下端部に引き上げ力が作用し、前記背凭れ受部材５４がガイドの役割を果たして、背凭れ７の下端部が水平を保って引き上げられる。そして、ランバーサポート部７１ｘとして機能する部分が図７の実線で示す形状から想像線で示す形状に変形する。図８において、前記背凭れ受け部材５４は想像線で示している。前記ロック機構Lは、所定のピッチでロック位置を変化させる適宜のラチェット構造を備えたもので、操作力を入力するときにロック解除し、操作力を解除したときに板ばねの弾性を利用してロック状態に引き込むことができるものである。なお、背凭れ本体７１の下端部には、ピンＫ３を取り付ける上で必要な剛性を確保するために、必要に応じて適宜の補強金具等を付帯させてもよい。
【００３８】
以上のように、本実施形態は、椅子の背凭れ７を変形可能に構成するとともに、該背凭れ７の下端部を一定方向へスライド可能に支持する背凭れ下支持部たる背凭れ受け部材５４と、そのスライド位置を選択して固定するための下操作部たる背凭れ形状調節機構Ｋとを設け、この背凭れ形状調節機構Ｋの操作位置に応じて、背凭れ７を変形させ得るようにしたものである。
【００３９】
このように、背凭れ７に弾性等を付与し、背凭れ受け部材５４に背凭れ７の一部をスライド構造の下に支持させるだけであるので、背凭れ７の支持構造を簡素なものにすることができる。特に、背凭れ７に弾性を付与すると、背凭れ７の接触感や使用感が同時に高められるので、背凭れ7の接触感や使用感を確保するために別途新たな構造を持ち込む必要がない。したがって、本実施形態によれば、背凭れ７が背凭れとして成立するための構成と背凭れ７が変形するために必要な構造とを効率良く両立させて実現することができる。
【００４０】
その際、一定方向へのスライド動作を、直線動作とし、若干後傾させた背凭れ受け部材５４のチャネル部５４ｘによって背凭れ７の下端部をガイドするようにしているため、支持構造が極めて簡素であり、操作性も良好なものにすることができる。特に、本実施形態では、ランバーサポート部７１ｘは背凭れ形状調節機構Ｋの調節位置に応じて前方に突出すると同時に上方へも移動するため、例えば座６の後部のペルビックを上記調節に伴って連動して上動するように構成されている場合には、着座者のランバーに対しては、ランバーサポート部７１ｘは相対的に前方への突出動作のみを行う場合と等価になるため、同一人がランバーサポート位置を調整する場合等に有効となる。勿論、体格の違いに応じてランバーサポート位置をこのように変化させたいときにも有効利用できる構成となる。
【００４１】
勿論、操作部の操作位置に応じて、ランバーサポート部７１ｘの位置を主として前後方向にのみ突没させる構成とすることも有効となる。
【００４２】
また、本実施形態は、ランバーサポート部７１ｘの位置が突没する動作に伴って、背凭れ７のＳ字状に湾曲するその背凭れ本体７１がＳ字の湾曲度を滑らかに変化させつつ変形するものであるため、背凭れ本体７１が着座者の背に極力密着するように変形させて、バックアップ領域を有効に確保した状態で使用することが可能となる。
【００４３】
その際、背凭れ７を、背と接触する位置にあって変形可能な背凭れ本体７１と、背フレーム５に取り付けられて前記背凭れ本体７１の背面側の一部を支持する背凭れ補強部材７２とから構成し、背凭れ本体７１のうち、背凭れ補強部材７２に支持されていない部位を変形させるようにしているため、無理のない構造で背凭れ７にバックアップ機能と変形機能とを付与することができる。
【００４４】
なお、各部の具体的な構成は、上述した実施形態のみに限定されるものではない。
例えば、スライド動作は、種々の態様で椅子に持ち込むことができる。すなわち、上記実施形態を模式的に示したものが図１０であり、背凭れ７の上端部を水平軸回りに図中矢印ＵＲのように回転可能に支持した上で、背凭れ７の下端部を図示しない背凭れ下支持部によって図中矢印ＤＳのように直線スライド可能に支持し、かつ図示しない下操作部によってそのスライド位置を選択して固定し得るものであった。すなわち、背凭れの下端部が持ち上げられると、背凭れ７が上端部との間で圧縮されるので、その間が変形する結果、全体が前方に膨出する。このとき、背凭れ７の上端部は、水平軸回りに後傾方向へ回転する。逆の操作を行えば、背凭れは逆方向に変形する。以上のような構成のものであった。
【００４５】
これに対して、図１１に示すものは、背凭れ７の下端部を図示しない背凭れ下支持部によって図中矢印ＤＳに示すように直線スライド可能に支持し、かつ図示しない下操作部によってそのスライド位置を選択して固定し得るようにするとともに、背凭れ７の上端部を図示しない背凭れ上支持部によって図中矢印ＵＳに示すように直線スライド可能に支持し、かつ図示しない上操作部によってそのスライド位置を選択して固定し得るように構成したものである。この構成において、背凭れ上支持部を固定した状態で背凭れ下支持部が持ち上げられた場合は、背凭れ７の上端部は動かないか若しくは若干従動する程度で、背凭れ７が圧縮されて前方に膨出する。背凭れ下支持部を固定した状態で背凭れ上支持部が押し下げられた場合は、その上下が逆の挙動となる。背凭れ支持部の持ち上げと背凭れ上支持部の押し下げが同時に行われた場合は、背凭れの圧縮による膨出変化に多くを期待することができる。
【００４６】
さらに、図１２に示すものは、背凭れ７の上端部を背フレーム５に固定（ＵＦ）とした上で、背凭れ７の下端部を図示しない背凭れ下支持部によって図中矢印ＤＳに示すように直線スライド可能に支持し、かつ図示しない下操作部によってそのスライド位置を選択して固定し得るように構成したものである。この構成は、図１１の椅子の挙動のうち、背凭れ上支持部を固定して背凭れ下支持部を持ち上げた場合と同様である。
【００４７】
また、図１３に示すものは、背凭れ７の下端部を図中矢印ＤＲに示すように水平軸回りに回転可能に支持した上で、背凭れ７の上端部を図示しない背凭れ上支持部によって図中矢印ＵＳに示すように直線スライド可能に支持し、かつ図示しない上操作部によってそのスライド位置を選択して固定し得るように構成したものである。この構成は、図１０の椅子とは背凭れ７の挙動が上下逆になる。
【００４８】
さらにまた、図１４に示すものは、背凭れ７の下端部を固定（ＤＦ）とした上で、背凭れ７の上端部を図示しない背凭れ上支持部によって図中矢印ＵＳに示すように直線スライド可能に支持し、かつ図示しない上操作部によってそのスライド位置を選択して固定し得るように構成したものである。
【００４９】
また、図１０、図１１、図１２、図１３のスライド動作は直線方向にガイドする直線スライド動作であったが、これらを円弧方向にガイドする円弧スライド動作とすることもできる。図１５、図１６、図１７、図１８は、各々図１０、図１１、図１２、図１３の直線スライドを円弧スライドに置き換えたものを示している。
【００５０】
さらに、上記実施形態において、背凭れはロの字形の芯材と袋状の張り地とで構成してあるが、適度な弾性が得られれば、芯材を板状のものにしてもよい。
【００５１】
その他の構成も、本発明の趣旨を逸脱しない範囲で種々変形が可能である。
【００５２】
例えば、図１９は変形例としての反力調整機構Ｆを示している。この反力調整機構Ｆは、コイルスプリングＳの固定リテーナＨ１を軸状のバックアップ部材Ｆ１０によって当該固定位置に保持するように構成した上で、このバックアップ部材Ｆ１０を一部に備え鉛直軸Ｆ１１回りに回転可能な回転アームＦ１と、この回転アームＦ１の前記鉛直軸Ｆ１１から偏位した位置においてその偏位方向と略直交する方向からねじ結合させたグリップＦ２１を有するねじ要素Ｆ２とにより構成したもので、そのねじ要素Ｆ２は支持基部３の側壁３３を貫通して側壁３３の外側方に突出し、その突出位置に当該グリップＦ２１を配置している。そして、グリップ操作を通じてねじ要素Ｆ２１にねじ送り動作を与えると、回転アームＦ１が鉛直軸Ｆ１１回りに回転して、バックアップ部材Ｆ１０を介しリテーナＨ１のバックアップ位置を、コイルスプリングＳの初期圧縮量を増減させる方向に移動させ得るようにしているものである。
【００５３】
このように構成すると、支持基部３の底壁３１と直交する方向の嵩張りが抑えられるので、支持基部３及びその周辺の薄肉化を有効に追求することが可能となる。
【００５４】
【発明の効果】
本発明は、以上説明した構成であるから、背凭れを簡素な構造を通じて有効に変形させることができ、これにより種々の目的で背凭れを変形させる必要のある椅子、特に簡易形の椅子に好適に適用が可能となる。
【図面の簡単な説明】
【図１】本発明の一実施形態に係る椅子を示す正面図。
【図２】同実施形態の左側面図。
【図３】同実施形態の背面図。
【図４】同実施形態の支持基部付近を拡大して示す縦断面図。
【図５】同実施形態に係るロック機構を備えた椅子の座受を示す平面図。
【図６】同実施形態の座受を座を取り除いた状態で示す分解斜視図。
【図７】同実施形態における背凭れの変形動作を説明するための拡大側面図。
【図８】同実施形態の下操作部付近を拡大して示す図。
【図９】同実施形態の背凭れ部分を示す分解斜視図。
【図１０】本発明の変形例を模式的に示す図。
【図１１】本発明の変形例を模式的に示す図。
【図１２】本発明の変形例を模式的に示す図。
【図１３】本発明の変形例を模式的に示す図。
【図１４】本発明の変形例を模式的に示す図。
【図１５】本発明の変形例を模式的に示す図。
【図１６】本発明の変形例を模式的に示す図。
【図１７】本発明の変形例を模式的に示す図。
【図１８】本発明の変形例を模式的に示す図。
【図１９】上記実施形態の変形例を示す図。
【符号の説明】
６…座
７…背凭れ
５４…背凭れ下支持部（背凭れ受け部材）
７１ｘ…ランバーサポート部
５１１…背凭れ上支持部
Ｃ…椅子
Ｋ１…下操作部（操作レバー）
【図１】
0004064680.tif 000002
【図２】
0004064680.tif 000003
【図３】
0004064680.tif 000004
【図４】
0004064680.tif 000005
【図５】
0004064680.tif 000006
【図６】
0004064680.tif 000007
【図７】
0004064680.tif 000008
【図８】
0004064680.tif 000009
【図９】
0004064680.tif 000010
【図１０】
0004064680.tif 000011
【図１１】
0004064680.tif 000012
【図１２】
0004064680.tif 000013
【図１３】
0004064680.tif 000014
【図１４】
0004064680.tif 000015
【図１５】
0004064680.tif 000016
【図１６】
0004064680.tif 000017
【図１７】
0004064680.tif 000018
【図１８】
0004064680.tif 000019
【図１９】
0004064680.tif 000020